(57)【特許請求の範囲】
【請求項１】
木造住宅建築物の耐力壁部分に採光壁を設けて採光可能とした壁面採光住宅であって、
前記採光壁は、壁を構成する軸組部材による架構に嵌め込むようにして、複数のガラスブロックを縦横に配置接合したブロック集合体を一体として取り付けることにより、壁倍率が２．５〜４の壁耐力を備える耐力壁を形成するようになっており、
前記ブロック集合体は、複数の前記ガラスブロックを複数列複数層に配置すると共に、これらの側周面に帯板を巻回締着することで一体化してなるガラスブロックパネルユニットを、前記架構の内側に複数段に重ねて配置することで形成されるようになっており、
前記ブロック集合体は、寸法調整部材を介在させて前記架構と接合一体化されており、
前記寸法調整部材は、コの字断面形状に形成された突条部と、該突条部の両側面の端縁部から直角に延設して設けられた平板状の脚部とからなり、
前記寸法調整部材は、前記脚部をエポキシ樹脂接着剤を用いて前記軸組部材の内側面に接着することにより、当該内側面に沿って接合一体化されており、
接合された前記寸法調整部材の前記突条部の、架構の内側を向いた先端面に、エポキシ樹脂接着剤を用いて、前記ガラスブロックパネルユニットの前記帯板が巻回締着された側周面を接着することにより、前記寸法調整部材を介在させた状態で、前記軸組部材による前記架構と前記ブロック集合体とが接合一体化されている壁面採光住宅。
【請求項２】
前記架構の内側に複数段に重ねて配置されて上下に隣接する前記ガラスブロックパネルユニットは、これらの間にスペーサを挟み込んだ状態で接合一体化されており、下段の前記ガラスブロックパネルユニットの上面側に配置される側周面の前記帯板に、エポキシ樹脂接着剤を塗布すると共に、上段の前記ガラスブロックパネルユニットの下面側に配置される側周面の前記帯板に、エポキシ樹脂接着剤を塗布し、上下両面にエポキシ樹脂接着剤が塗布された前記スペーサを、これらの上下の前記帯板の間に挟み込んだ状態で、上下の前記ガラスブロックパネルユニットが接合一体化されている請求項１に記載の壁面採光住宅。
【請求項３】
前記架構を構成する一対の柱の内側面に沿って取り付けられる前記寸法調整部材には、前記突条部の両側面の端縁部と前記脚部との間に介在して、前記突条部の両側面の端縁部から内方幅が広がるように傾斜するテーパー部が設けられている請求項１又は２に記載の壁面採光住宅。
【請求項４】
前記スペーサは、硬質プラスチックからなる請求項１〜３のいずれか１項に記載の壁面採光住宅。
【請求項５】
前記耐力壁部分が木造住宅建築物の外壁である請求項１〜４のいずれか１項に記載の壁面採光住宅。
【請求項６】
前記耐力壁部分が木造住宅建築物の間仕切壁である請求項１〜４のいずれか１項に記載の壁面採光住宅。
【発明の詳細な説明】
【技術分野】
【０００１】
本発明は、壁面採光住宅に関し、特に木造住宅建築物の耐力壁部分に採光壁を設けて採光可能とした壁面採光住宅に関する。
【背景技術】
【０００２】
ガラスブロックは、透光性を備えており、装飾性や断熱遮音効果にも優れるため、従来より、例えば採光が必要な壁や、断熱遮音効果が要求される壁の構成材料として用いられ、屋内空間に意匠性に富んだ様々なデザインを付与している。これらのガラスブロックは、脆性材料であるため、非構造材として、単に内装用又は外装用に用いられるのが一般的であり、風荷重や地震荷重等を支持するための耐力壁を構成する建築材料としては採用することができないものと考えられていた。
【０００３】
一方、ガラスブロックの採光機能や、優れた装飾性に着目し、建築物の多くの部分にガラスブロックを用いて建築物の設計の自由度を増すことにより、斬新な住宅のデザインが得られるようにするための種々の工夫がなされており、例えばガラスブロックを耐力壁の構成材料としても使用できるようにする研究開発が行われている（例えば、特許文献１，２、非特許文献１，２参照）。
【０００４】
特許文献１や特許文献２は、金属枠に複数のガラスブロックを嵌め込んでなるガラスブロック壁を開示しており、非特許文献１は、複数のガラスブロックの周囲を鋼板で囲んで一体化したものを試験体として、これの剛性、耐力、終局状態等を調査している。また、非特許文献２は、ガラスブロックとは異なる材料である鉄線の入った厚い板ガラスの面内せん断力に着目して、これを木造や軽量鉄骨造の柔軟フレームと組み合わせて得られる耐力壁の可能性を試験している。
【特許文献１】特開２００６−９４３０号公報
【特許文献２】特開平５−２３０８９９号公報
【非特許文献１】「ガラスブロック耐震壁の耐震性能に関する実験」、日本建築学会大会学術講演梗概集（２００４年８月）
【非特許文献２】「住宅デザインと木構造」、飯塚五郎蔵著、丸善株式会社発行
【発明の開示】
【発明が解決しようとする課題】
【０００５】
特許文献１，２や非特許文献１，２の記載内容からは、ガラスブロックを用いて耐力壁を形成できることが示唆されるが、これらの文献は、木造住宅建築物を施工するにあたって、ガラスブロックによる耐力壁を、所望の壁耐力が得られる状態で効率良く設置するための具体的手段、及びこのようなガラスブロックによる耐力壁を設けた住宅については何等言及していない。
【０００６】
本発明は、木造住宅建築物の構成材料を利用することにより、耐力壁としての機能も備える採光壁を、ガラスブロックを用いて耐力壁部分に効率良く設けることができ、該耐力壁部分に設けた採光壁から効果的な採光を得ることのできる壁面採光住宅を提供することを目的とする。
【課題を解決するための手段】
【０００７】
本発明は、木造住宅建築物の耐力壁部分に採光壁を設けて採光可能とした壁面採光住宅であって、前記採光壁は、壁を構成する軸組部材による架構に嵌め込むようにして、複数のガラスブロックを縦横に配置接合したブロック集合体を一体として取り付けることにより、壁倍率が２．５〜４の壁耐力を備える耐力壁を形成するようになっており、前記ブロック集合体は、複数の前記ガラスブロックを複数列複数層に配置すると共に、これらの側周面に帯板を巻回締着することで一体化してなるガラスブロックパネルユニットを、前記架構の内側に複数段に重ねて配置することで形成されるようになっており、前記ブロック集合体は、寸法調整部材を介在させて前記架構と接合一体化されており、前記寸法調整部材は、コの字断面形状に形成された突条部と、該突条部の両側面の端縁部から直角に延設して設けられた平板状の脚部とからなり、前記寸法調整部材は、前記脚部をエポキシ樹脂接着剤を用いて前記軸組部材の内側面に接着することにより、当該内側面に沿って接合一体化されており、接合された前記寸法調整部材の前記突条部の、架構の内側を向いた先端面に、エポキシ樹脂接着剤を用いて、前記ガラスブロックパネルユニットの前記帯板が巻回締着された側周面を接着することにより、前記寸法調整部材を介在させた状態で、前記軸組部材による前記架構と前記ブロック集合体とが接合一体化されている壁面採光住宅を提供することにより、上記目的を達成したものである。
【０００８】
本発明の壁面採光住宅では、前記架構の内側に複数段に重ねて配置されて上下に隣接する前記ガラスブロックパネルユニットは、これらの間にスペーサを挟み込んだ状態で接合一体化されており、下段の前記ガラスブロックパネルユニットの上面側に配置される側周面の前記帯板に、エポキシ樹脂接着剤を塗布すると共に、上段の前記ガラスブロックパネルユニットの下面側に配置される側周面の前記帯板に、エポキシ樹脂接着剤を塗布し、上下両面にエポキシ樹脂接着剤が塗布された前記スペーサを、これらの上下の前記帯板の間に挟み込んだ状態で、上下の前記ガラスブロックパネルユニットが接合一体化されていることが好ましい。
【０００９】
また、本発明の壁面採光住宅では、前記架構を構成する一対の柱の内側面に沿って取り付けられる前記寸法調整部材には、前記突条部の両側面の端縁部と前記脚部との間に介在して、前記突条部の両側面の端縁部から内方幅が広がるように傾斜するテーパー部が設けられていることが好ましい。
【００１０】
さらに、本発明の壁面採光住宅では、前記スペーサは、硬質プラスチックからなることが好ましい。
【００１１】
さらにまた、本発明の壁面採光住宅では、前記耐力壁部分が、木造住宅建築物の外壁であるか、木造住宅建築物の間仕切壁であることが好ましい。
【発明の効果】
【００１２】
本発明の壁面採光住宅によれば、木造住宅建築物の構成材料を利用することにより、耐力壁としての機能も備える採光壁を、ガラスブロックを用いて耐力壁部分に効率良く設けることができ、該耐力壁部分に設けた採光壁から効果的な採光を得ることができる。
【発明を実施するための最良の形態】
【００１３】
図１（ａ），（ｂ）に間取図として示す本発明の好ましい第１実施形態に係る壁面採光住宅１０は、例えば軸組工法による木造住宅建築物であって、壁面採光住宅１０を構成する外壁及び間仕切壁は、風荷重や地震荷重等を支持する耐力壁としての機能を備えている。そして、本第１実施形態の壁面採光住宅１０では、耐力壁の一部として、一階のダイニングルーム５０の南東角部分の外壁を採光壁１１ａとすると共に、一階の玄関ホール５１とリビングルーム５２との間の間仕切壁を採光壁１１ｂとしている。
【００１４】
すなわち、本第１実施形態の壁面採光住宅１０は、木造住宅建築物の耐力壁部分に採光壁１１ａ，１１ｂを設けて採光可能とした住宅であって、採光壁１１ａ，１１ｂは、図２に示すように、壁を構成する軸組部材１２ａ，１２ｂ，１２ｃによる架構１２に嵌め込むようにして、複数のガラスブロック１３を縦横に配置接合したブロック集合体１４を一体として取り付けることにより、所望の壁耐力をとして例えば壁倍率が２．５（構造用合板同等）〜４（筋かいたすきがけ同等）の壁耐力を備える耐力壁を形成している。
【００１５】
本第１実施形態では、壁面採光住宅１０は、上述のように、例えば軸組工法による二階建ての木造住宅建築物であって、主としてプライベートなスペースを形成する図１（ａ）に示す二階部分には、寝室や子供部屋等の個室や、トイレ、廊下等が設けられている。また主としてパブリックなスペースを形成する図１（ｂ）に示す一階部分には、玄関及び玄関ホール５１、リビングルーム５２、ダイニングルーム５０、キッチン、和室、浴室、洗面脱衣所等が設けられている。
【００１６】
また、本第１実施形態では、壁面採光住宅１０は、柱、梁、土台等を軸組（骨組）部材とし、これらの軸組部材によって例えば矩形形状に形成した各架構に構造用合板等の耐力面材を取り付けることにより、外壁及び間仕切壁を、窓や出入口等の開口部が設けられた部分を除いて、風荷重や地震荷重等を支持する耐力壁として機能させるようになっている。そして、本第１実施形態では、このような軸組工法による木造住宅建築物における壁の構成材料である軸組部材を有効に利用して、耐力壁としての機能を備える採光壁１１ａ，１１ｂを、ガラスブロック１３を用いて耐力壁部分である外壁や間仕切壁の特定部分に、例えば後述する方法によって効率良く設けることにより、採光壁１１ａ，１１ｂから効果的な採光が得られるようにしている。
【００１７】
すなわち、図１（ｂ）に示すように、一階のダイニングルーム５０の南東角部分の外壁を採光壁１１ａとすることにより、当該角部分における壁耐力を低下させることなく採光壁１１ａから屋内に採光可能として、例えばダイニングルーム５０における開放感を増強させることが可能になる。また一階の玄関ホール５１とリビングルーム５２との間の間仕切壁を採光壁１１ｂとしたことにより、当該間仕切壁における壁耐力を低下させることなくリビングルーム５２からの採光を可能にして、例えば玄関ホール５１の明るさ不足を解消することが可能になる。
【００１８】
そして、本第１実施形態の壁面採光住宅１０では、採光壁１１ａ，１１ｂは、図２に示すように、外壁又は間仕切壁を構成する軸組部材１２ａ，１２ｂ，１２ｃによる架構１２に嵌め込むようにして、複数のガラスブロック１３からなるブロック集合体１４を一体として取り付けることにより、これらのブロック集合体１４に大きな面内せん断抵抗を発揮させて、所望の壁耐力を備える耐力壁を形成する。
【００１９】
ここで、軸組部材１２ａ，１２ｂ，１２ｃは、外壁又は間仕切壁を構成する矩形形状の架構１２を形成するものであり、例えば採光壁１１ａ，１１ｂの上部に水平に配置された例えば１０５×１０５の角材からなる梁１６及び採光壁１１ａ，１１ｂの下部に水平に配置された例えば１０５×１０５の角材からなる土台１７の間に垂直に架設された、例えば１０５×１０５の角材からなる各一対の柱１２ａと（図２では、中央の柱１２ａを共有することにより、各一対の柱１２ａを構成部材とする一対の架構１２が連設している。）、梁１６の下方に間隔をおいて各一対の柱１２ａの間に水平に架設された例えば１０５×１０５の角材からなる上枠１２ｃと、土台１７の上方に重ねて各一対の柱１２ａの間に水平に架設された例えば１０５×１０５の角材からなる下枠１２ｂである。本第１実施形態では、これらの各４本の軸組部材１２ａ，１２ｂ，１２ｃによって４方を囲まれて、例えば縦２１００〜４０００ｍｍ、横６００〜３０００ｍｍ程度の大きさの、ブロック集合体１４を嵌め込むための設置空間が、矩形形状の架構１２の内側に形成される。
【００２０】
また、ブロック集合体１４を形成するガラスブロック１３は、例えば縦横１００〜１５０ｍｍ角で、厚さが５０〜１００ｍｍ程度のガラスブロックを用いることができ、より具体的には、例えば商品名「ハウスパネル」（日本電子硝子（株）製）に用いられるガラスブロックを使用することができる。ガラスブロック１３は、好ましくは図３に示すように、複数（本第１実施形態では１５個）のガラスブロック１３を、複数列複数層（本実施形態では３列５層）に、例えばこれらの側周面にステンレス製の帯板１８（図６（ａ），（ｂ）参照）を巻回締着して一体化することによりガラスブロックパネルユニット１９として予め工場等において製造しておき、建築現場に搬入したガラスブロックパネルユニット１９を、架構１２の内側に複数段（本実施形態では５段）に積み上げることによってブロック集合体１４が形成されることになる。
【００２１】
そして、本第１実施形態では、好ましくは後述する寸法調整部材２０，２１を介在させ、好ましくはエポキシ樹脂接着剤を用いてブロック集合体１４を四方の軸組部材１２ａ，１２ｂ，１２ｃからなる架構１２の内側面に接着することにより、軸組部材１２ａ，１２ｂ，１２ｃからなる架構１２と複数のガラスブロック１３からなるブロック集合体１４とが強固に接合一体化されて、好ましくは２．５〜４の壁倍率の耐力壁として機能する採光壁１１ａ，１１ｂが容易に形成されることになる。
【００２２】
ここで、軸組部材１２ａ，１２ｂ，１２ｃからなる架構１２と複数のガラスブロック１３からなるブロック集合体１４とを接合一体化するエポキシ樹脂接着剤としては、例えば商品名「シーカデュア３０」（日本シーカ（株）製）等の、ニ液混合型エポキシ樹脂接着剤を使用することができる。このようなエポキシ樹脂接着剤は、粘性が高く液だれしないので作業性が良いといった長所の他、冬季以外であれば３日間で最終強度の９０％程度まで強度が発現し、混練ラティチュードが広いので多少の混練不足でも不具合が生じない等の長所を有している。
【００２３】
また、本第１実施形態では、例えば４本の軸組部材１２ａ，１２ｂ，１２ｃによって４方を囲まれる架構１２の内側の設置空間とブロック集合体１４の寸法が一致せず、これらの間に隙間が生じる場合に、図４（ａ），（ｂ）及び図５（ａ），（ｂ）に示すように、このような隙間を埋める寸法調整部材２０，２１を介在させて架構１２とブロック集合体１４とを接合一体化することもできる。
【００２４】
寸法調整部材２０，２１は、例えば板状の鋼板を折曲げて容易に加工形成することができ、例えばコの字断面形状に形成された突条部２０ａ，２１ａと、突条部２０ａ，２１ａの両側面の端縁部からこれらに対して直角に延設して設けられる平板状の脚部２０ｂ，２１ｂとからなる。また一対の柱１２ａの内側面に沿って取り付けられる寸法調整部材２１には、突条部２１ａの両側面の端縁部と脚部２１ｂとの間に介在して、突条部２１ａの両側面の端縁部から内方幅が広がるように傾斜するテーパー部２１ｃが設けられている。寸法調整部材２１の突条部２１ａの両側面の端縁部と脚部２１ｂとの間にテーパー部２１ｃが設けられていることにより、突条部２１ａが柱１２ａの内側面側に押し付けられた際のテーパー部２１ｃ及び突条部２１ａの弾性変形によって、例えば数ｍｍ程度の寸法誤差を吸収することが可能になる。
【００２５】
寸法調整部材２０，２１は、これらの脚部２０ｂ，２１ｂをエポキシ樹脂接着剤を用いて軸組部材１２ａ，１２ｂ，１２ｃの内側面に接着することにより、当該内側面に沿って接合一体化される。また接合された寸法調整部材２０，２１の突条部２０ａ，２１ａの、架構１２の内側を向いた先端面に、エポキシ樹脂接着剤を用いてブロック集合体１４（ガラスブロックパネルユニット１９）の帯板１８が巻回締着された側周面を接着することにより、寸法調整部材２０，２１を介在させた状態で、軸組部材１２ａ，１２ｂ，１２ｃによる架構１２とブロック集合体１４とが強固に接合一体化されることになる。
【００２６】
そして、上述の構成を備える採光壁１１ａ，１１ｂは、本第１実施形態の壁面採光住宅１０において、例えば以下のようにしてダイニングルーム５０の南東角部や玄関ホール５１とリビングルーム５２との間に施工され、耐力壁としても機能する。
【００２７】
すなわち、これらの採光壁１１ａ，１１ｂを施工するには、例えばまず寸法調整部材２０を、架構１２の下方の軸組部材である下枠１２ｂの上面に、エポキシ樹脂接着剤を用いて接着する。また寸法調整部材２１を、架構１２の両側の軸組部材である一対の柱１２ａの互いに対向する側面に、エポキシ樹脂接着剤を用いて接着する。なお、これらの寸法調整部材２０，２１をエポキシ樹脂接着剤を用いて接着固定する際に、例えば各脚部２０ｂ，２１ｂに形成したネジ孔（図示せず）を介して、ラグスクリュー２２（図５（ａ），（ｂ）参照）を下枠１２ｂや柱１２ａに向けてねじ込むことにより、寸法調整部材２０，２１を仮止めしておくことができる。
【００２８】
次に、複数のガラスブロック１３からなるガラスブロックパネルユニット１９を、架構１２の内側に順次差し入れて、その側周面を下枠１２ｂに設置した寸法調整部材２０の突条部２０ａや、柱１２ａに設置した寸法調整部材２１の突条部２１ａにエポキシ樹脂接着剤を用いて接着しつつ、上方に積み重ねて行き、複数段（本第１実施形態では５段）に重ねた状態で取り付ける。
【００２９】
ここで、ガラスブロックパネルユニット１９を架構１２の内側において上方に積み重ねて行く際に、上下に隣接するガラスブロックパネルユニット１９は、図６（ａ），（ｂ）に示すように、これらの間にスペーサ２３を挟み込んだ状態で接合一体化される。すなわち、例えば下段のガラスブロックパネルユニット１９の上面側に配置される側周面の帯板１８にエポキシ樹脂接着剤を塗布すると共に、上段のガラスブロックパネルユニット１９の下面側に配置される側周面の帯板１８にエポキシ樹脂接着剤を塗布し、上下両面にエポキシ樹脂接着剤が塗布されたスペーサ２３をこれらの上下の帯板１８の間に挟み込んだ状態で押圧力を加えることにより、上下のガラスブロックパネルユニット１９を強固且つ容易に接合一体化することが可能になる。
【００３０】
なお、スペーサ２３は、例えば予め製造されたガラスブロックパネルユニット１９を構成するガラスブロック１３間の目地幅と同様の目地幅を、上下のガラスブロックパネルユニット１９間に確保する機能の他、上下のガラスブロックパネルユニット１９の間でせん断力を効果的に伝達させる機能も担っている。したがって、スペーサ２３は、せん断力を確実に伝達できるようにその材質が適宜選択され、好ましくは硬質プラスチックからなるスペーサ２３が用いられる。
【００３１】
最上段のガラスブロックパネルユニット１９を設置したら、予め寸法調整部材２０を先付けしておいた上枠１２ｃを、例えば寸法調整部材２０を下方に向けた状態で、梁１６の下方において、一対の柱１２ａの間に、エポキシ樹脂接着剤を塗布した突条部２０ａの先端面（下面）が最上段のガラスブロックパネルユニット１９のエポキシ樹脂接着剤が塗布された上面に当接するまで落とし込んで接着させる。また落とし込んだ上枠１２ｃの両端部分を、例えば両側の柱１２ａに向けて固定釘等を打ち込んで固定することにより、軸組部材１２ａ，１２ｂ，１２ｃによる架構１２に、複数のガラスブロック１３を縦横に配置接合してなるブロック集合体１４が嵌め込まれて一体として取り付けられた、採光壁１１ａ，１１ｂが形成されることになる。さらに、好ましくは上枠１２ｃの両端部分と上方の梁１６との間に介在させて、押さえ材２３を取り付ける。これによって、上枠１２ｃの浮き上がりを効果的に防止することが可能になる。
【００３２】
上述のようにして形成された採光壁１１ａ，１１ｂには、当該採光壁１１ａ，１１ｂやこれの周囲の部分に必要に応じて仕上げ工事が施される。すなわち、例えば下枠１２ｂの周囲の部分では、図５（ａ）に示すように、土台１７の室内側の側面に取り付けた根太受け２５に根太２６を架け渡し、その上に床板２７を敷設すると共に、床板２７の壁際には、背面側の寸法調整部材２０の突条部２０ａとの間に裏板２８をあてがった上で、化粧材である巾木２９を取り付ける。また裏板２８とブロック集合体１４の下端部との間に例えば目地モルタル３０を用いて目地処理を施す。一方、例えば柱１２ａや上枠１２ｃの周囲の部分では、図５（ｂ）に示すように、寸法調整部材２０，２１の突条部２０ａ，２１ａの両側面に枠板３１をあてがった上で、枠板３１とブロック集合体１４の側端部や上端部との間に例えば目地モルタル３０を用いて目地処理を施す。
【００３３】
また、スペーサ２３を挟み込むことによって上下に隣接するガラスブロックパネルユニット１９の間に保持された目地部には、図６（ｂ）に示すように、例えば目地モルタル３０を用いて目地処理を施す。さらに、採光壁１１ａ，１１ｂの周囲の例えば上枠１２ｃと梁１６との間の壁面や、柱１２ａの外側の壁面には、例えば構造用合板からなる下地材や壁上げ材（図示せず）が取り付けられて、木造住宅建築物の耐力壁部分に耐力壁を兼ねる採光壁１１ａ，１１ｂが設けられた、本第１実施形態の壁面採光住宅１０が構築されることになる。
【００３４】
そして、上述の構成を備える本第１実施形態の壁面採光住宅１０によれば、木造住宅建築物の構成材料を利用することにより、耐力壁としての機能も備える採光壁１１ａ，１１ｂを、ガラスブロック１３を用いて耐力壁部分である外壁や間仕切壁に効率良く設けることができ、これらの採光壁１１ａ，１１ｂから効果的な採光を得ることが可能になる。
【００３５】
すなわち、本第１実施形態では、採光壁１１ａ，１１ｂは、壁を構成する軸組部材１２ａ，１２ｂ，１２ｃによる架構１２に嵌め込むようにして、複数のガラスブロック１３を配置接合したブロック集合体１４を一体として取り付けることによって得られ、所望の壁耐力を備える耐力壁を形成することができるので、十分なせん断抵抗を発揮して耐力壁としての機能を損なうことなく、木造住宅建築物の耐力壁部分に採光壁１１ａ，１１ｂを設けて当該採光壁１１ａ，１１ｂから採光を得ることが可能になる。したがって、多くの部分にガラスブロックを用いて木造住宅建築物の設計の自由度を増すことができるようになり、これによって斬新な住宅のデザインを得ることが可能になる。
【００３６】
また、上記構成の採光壁１１ａ，１１ｂは、後述する実験結果から実証されるように、好ましくは壁倍率が２．５〜４の耐力壁を備えることができる。ここで、耐力壁に用いる耐力面材としては、構造用合板、パーティクルボード、ハードボード 、硬質木片セメント板、フレキシブル板、石綿パーライト板、石綿けい酸カルシウム板、炭酸マグネシウム板、パルプセメント板、石膏ボードなど数多くの種類のものが知られている。代表的なパーティクルボードや構造用合板の場合、上述と同様の軸組部材１２ａ，１２ｂ，１２ｃによる架構１２に取り付けて用いると、壁倍率は２．５程度となる（これらを架構１２の両面に取り付けて用いた場合の壁倍率は５程度）。したがって、本第１実施形態の壁面採光住宅１０に設けられた採光壁１１ａ，１１ｂの壁耐力は、これらと比較して遜色がないものと考えられる。
【００３７】
なお、本願発明者は、本第１実施形態の壁面採光住宅１０に設けられた採光壁１１ａ，１１ｂと同様の構成を備える採光壁として、図７に示す試験体に対して、ＪＩＳ Ａ １４１４「建築用構成材（パネル）及びその構造部分の性能試験方法」の面内せん断試験（Ｂ）（タイロッドを用いない場合）に従って、面内せん断試験を行い、壁耐力を評価した。ここで、図７に示す試験体は、断面が１０５ｍｍ×１０５ｍｍの土台の上に同寸法の柱を９１０ｍｍピッチで３本立設すると共に、寸法調整部材を土台と柱に接着し、次いで、上記第１実施形態のものと同様のガラスブロックパネルユニットを五段に重ねてブロック集合体を設置し、さらに寸法調整部材を取り付けた上枠を落とし込んでこれらを接合一体化することにより形成した。また、柱に接着した寸法調整部材は、上記第１実施形態において用いた寸法調整部材ではなく、Ｌ型の山型鋼（アングル）を使用した。
【００３８】
図７に示す試験体に対して、上述の面内せん断試験方法に基づき、試験体の上部をジャッキで水平に押し引きして、試験体の変位が高さの１／６００や１／３００など、所定の変位量に達するまで三回ずつ繰り返す（正負交番繰り返し）ことで、加力試験を行った。得られた荷重（ｋＮ）をＹ軸に、変形量（ｒａｄ）をＸ軸にプロットしたグラフを図８に示す。また、図８に示すグラフをもとに壁倍率を算出した結果を図９に示す。
【００３９】
図７に示す試験体に対する上述の面内せん断試験方法によって、試験体の壁耐力として、壁倍率が３．５４倍の強度性能を確認することができた。低減係数を最も厳しい数値である０．７６として、得られた壁倍率に乗じても、壁倍率は２．６倍となる。このような壁倍率は、上述の架構にシングル筋かいを取り付けた場合の壁倍率（２倍）よりも大きく、構造用合板を架構の片面に使用した場合の壁倍率（２．５倍）とほぼ同等になることから、試験体の採光壁は、耐力壁として必要な壁耐力を備えており、木造住宅建築部の耐力壁部分に設けられて、耐力壁としての機能を十分に発揮できることが判明する。
【００４０】
図１０は、本発明の好ましい第２実施形態に係る壁面採光住宅４０の一階部分の間取りを示すものである。本第２実施形態の壁面採光住宅４０によれば、玄関ホール４１とつながる廊下４２の屈曲部分とリビングルーム４３との間の間仕切壁に、上記第１実施形態の採光壁１１ａ，１１ｂと同様の構成の採光壁４４を設けたものである。本第２実施形態の壁面採光住宅４０によっても、上記第１実施形態の壁面採光住宅１０と同様の作用効果が奏されることに加えて、廊下４２の屈曲部分とリビングルーム４３との間の間仕切壁に採光壁４４が設けられていることにより、通常は１日中薄暗い環境下にある廊下４２の屈曲部分に、リビングルーム４３から採光壁４４を介して効果的に光を取り込んで、耐力壁としての構造強度を維持しながら十分な採光を確保することが可能になる。
【００４１】
図１１は、本発明の好ましい第３実施形態に係る壁面採光住宅５０の一階部分の間取りを示すものである。本第３実施形態の壁面採光住宅５０によれば、和室５４に隣接して設けた広縁５１の外側部分を全て採光可能な部分とするべく、採光可能な引き戸部分５３に加えて、広縁５１の外側に配置される外壁を採光壁５２としたものである。本第２実施形態の壁面採光住宅４０によっても、上記第１実施形態の壁面採光住宅１０と同様の作用効果が奏されることに加えて、和室５４に開放感を演出することが可能になる。また採光壁５２のガラスブロックによる格子パターンは、和室５４の雰囲気にも良く合い、また玄関５５を和風の外観とした場合に、玄関脇の外観として調和することになる。
【００４２】
なお、本発明は上記実施形態に限定されることなく種々の変更が可能である。例えば採光壁は、二階建ての木造住宅建築物の一階部分に設ける必要は必ずしもなく、二階部分や、平屋建て或いは三階建て以上の木造住宅建築物に設けることもできる。
【図面の簡単な説明】
【００４３】
【図１】本実施形態の好ましい第１実施形態に係る壁面採光住宅の（ａ）はニ階部分の間取図、（ｂ）は一階部分の間取図である。
【図２】採光壁の構成を説明する正面図である。
【図３】ガラスブロックパネルユニットの正面図である。
【図４】（ａ）、（ｂ）は、寸法調整部材を取り付けた状態を説明する斜視図である。
【図５】（ａ）は下枠にブロック集合体を接合した状態を説明する拡大断面図、（ｂ）は柱にブロック集合体を接合した状態を説明する拡大断面図である。
【図６】（ａ）、（ｂ）は、ガラスブロックパネルユニットを複数段に重ねる状態を説明する拡大断面図である。
【図７】面内せん断試験方法に用いた試験体の正面図である。
【図８】面内せん断試験方法に基づく加力試験の試験結果を示すグラフである。
【図９】図８に示すグラフをもとに壁倍率を算出した結果を示すチャートである。
【図１０】本実施形態の好ましい第２実施形態に係る壁面採光住宅の一階部分の間取図である。
【図１１】本実施形態の好ましい第３実施形態に係る壁面採光住宅の一階部分の間取図である。
【符号の説明】
【００４４】
１０，４０，５０  壁面採光住宅
１１ａ，１１ｂ  採光壁
１２  架構
１２ａ  柱（軸組部材）
１２ｂ  上枠（軸組部材）
１２ｃ  下枠（軸組部材）
１３  ガラスブロック
１４  ブロック集合体
１５  押退けプレート部材
１６  梁
１７  土台
１８  帯板
１９  ガラスブロックパネルユニット
２０，２１  寸法調整部材
２３  スペーサ
２４  押さえ材
３０  目地モルタル
【図１】
0005242019.tif 000002
【図２】
0005242019.tif 000003
【図３】
0005242019.tif 000004
【図４】
0005242019.tif 000005
【図５】
0005242019.tif 000006
【図６】
0005242019.tif 000007
【図７】
0005242019.tif 000008
【図８】
0005242019.tif 000009
【図９】
0005242019.tif 000010
【図１０】
0005242019.tif 000011
【図１１】
0005242019.tif 000012